(57)【要約】【課題】お墓や納骨堂等を訪れた人が、あるいは仏壇等の前で自己の携帯やスマートフォン等の情報端末に故人情報を取得して表示させ、その場で故人を自由にまた気軽に偲ぶことができる故人情報取得表示システムを提供する。【解決手段】故人に関する故人情報が格納されたＷｅｂサーバ100と、前記故人を祀る施設であるお墓１等の一部に設けられた情報読取部120を備え、表示部201を備える情報端末200からの操作により、情報読取部120に保存されたアドレス情報を取得してＷｅｂサーバ100にアクセスし、Ｗｅｂサーバ100に格納された所望の故人情報を取得し表示部201に表示させる。【選択図】図１
2015165856.tif 000002
【特許請求の範囲】
【請求項１】
故人に関する情報である一または複数の故人情報が格納されたＷｅｂサーバと、
前記故人を祀る施設の一部に設けられ、前記Ｗｅｂサーバのアドレス情報が保存された情報読取部を備え、
表示部を備える情報端末からの操作により、前記情報読取部に保存されたアドレス情報を取得して前記Ｗｅｂサーバにアクセスすることにより、故人情報を取得して表示部に表示させるようにした、
ことを特徴とする故人情報取得表示システム。
【請求項２】
前記情報読取部が、故人を祀る施設の一部に取り付け可能なプレートに設けられている特徴とする請求項１記載の故人情報取得表示システム。  
【請求項３】
前記故人を祀る施設が、墓、納骨堂、仏壇または祭壇のいずれかであることを特徴とする請求項１または請求項２記載の故人情報取得表示システム。
【請求項４】
前記Ｗｅｂサーバが、情報端末の表示部に表示させる故人情報を検索する検索メニューを備えることを特徴とする請求項１ないし請求項３のいずれか一項に記載の故人情報取得表示システム。
【請求項５】
前記Ｗｅｂサーバに格納された故人情報が、文字、画像、動画、音声から選択される一または複数の情報であることを特徴とする請求項１ないし請求項４のいずれか一項に記載の故人情報取得表示システム。
【請求項６】
前記情報読取部に、文字、画像、動画、音声から選択される一または複数の簡易な故人情報が保存されており、情報端末からの操作により情報読取部に保存された前記簡易な故人情報を取得して表示部に表示可能とされていることを特徴とする請求項１ないし請求項５のいずれか一項に記載の故人情報取得表示システム。
【請求項７】
前記Ｗｅｂサーバに格納された故人情報に、故人毎に付与される故人識別番号が付与されていることを特徴とする請求項１ないし請求項６のいずれか一項に記載の故人情報取得表示システム。
【請求項８】
前記Ｗｅｂサーバに格納された故人情報に、当該故人が属する直系親族に共通して付与される故人共通識別番号が付与されていることを特徴とする請求項１ないし請求項７のいずれか一項に記載の故人情報取得表示システム。
【発明の詳細な説明】
【技術分野】
【０００１】
本発明は、お墓や納骨堂等を訪れた人が、あるいは仏壇の前で、自己の携帯や情報端末に故人情報を取得して表示させ、その場で故人を偲ぶことができる故人情報取得表示システムに関するものである。
【背景技術】
【０００２】
わが国では、従来から、お盆やお彼岸の日あるいは故人の命日などに、先祖を供養しあるいは故人を偲ぶため、家族や親戚が連れ立ってお墓参りをする慣習がある。お参りした際にはみんなでお墓の周囲を清掃し、持参した花を活けると共に線香を上げ、お供え物などをして帰ることが多い。しかしながら、共同墓地などは、一区画の敷地が一般に狭いため、墓石を中心として花台や供物台、墓碑等が備わるに過ぎず、先祖や故人に関する想い出の品を備えておくことは難しい。例えば供物台の一部に収納室を設けたとしても、墓地全体が風雨に晒されるので、保管できたとしても保存し続けるのが難しい。したがって、せっかく連れ立って家族や親戚がお墓参りして先祖や故人を偲ぼうとしても、現状の墓参りでは十分に偲ぶことができない。
【０００３】
一方、特に都市部では共同墓地が足りず、また遠方への墓参りが困難になる等の事情から納骨堂を利用する場合が少なくない。納骨堂は比較的利便性の高い場所に位置し、天候に左右されずにお参りできる等の利点があるが、骨壷等の保管スペースに限りがあることから、先祖や故人、ペットに関する想い出の品を備えることはお墓同様に難しい。
【０００４】
従来技術として、故人の生前情報を表示させる液晶表示器等の表示装置を備える墓石（特許文献１）や、蓋を外して故人等の写真を見ることができる墓石用写真表示装置（特許文献２）等が提案されている。
【先行技術文献】
【特許文献】
【０００５】
【特許文献１】特開２００４−２８５６０９号公報
【特許文献２】特開２００６−３７４２３号公報
【発明の概要】
【発明が解決しようとする課題】
【０００６】
しかしながら、前記いずれの提案も、墓石に固定あるいは墓石近傍に設置されたもので、いずれも固定位置にあって墓石の前や近傍で腰を屈める等して視聴したり見たりしなければならず、墓参りや納骨堂に訪れた人が自由に思い思いの姿勢や向きで故人を偲ぶことができるものではなかった。
【０００７】
本発明は上記問題点に鑑みてなされたもので、お墓や納骨堂等を訪れた人が、あるいは仏壇等の前で自己の携帯やスマートフォン等の情報端末に故人情報を取得して表示させ、その場で故人を自由にまた気軽に偲ぶことができる故人情報取得表示システムを提供することを目的とする。
【課題を解決するための手段】
【０００８】
上記課題を解決するために、本発明に係る故人情報取得表示システムは、
故人に関する情報である一または複数の故人情報が格納されたＷｅｂサーバと、
前記故人を祀る施設の一部に設けられ、前記Ｗｅｂサーバのアドレス情報が保存された情報読取部を備え、
表示部を備える情報端末からの操作により、前記情報読取部に保存されたアドレス情報を取得して前記Ｗｅｂサーバにアクセスすることにより、故人情報を取得して表示部に表示させるようにした、
ことを主要な特徴とする。
【０００９】
本発明に係る故人情報取得表示システムは、前記情報読取部が、故人を祀る施設の一部に取り付け可能なプレートに設けられていることを第２の特徴とする。プレートの墓石等への設置は先付けあるいは後付けいずれでもよい。
【００１０】
本発明に係る故人情報取得表示システムは、前記故人を祀る施設が、墓、納骨堂、仏壇または祭壇のいずれかであることを第３の特徴とする。
【００１１】
本発明に係る故人情報取得表示システムは、前記Ｗｅｂサーバが、情報端末の表示部に表示させる故人情報を検索する検索メニューを備えることを第４の特徴とする。
【００１２】
本発明に係る故人情報取得表示システムは、前記Ｗｅｂサーバに格納された故人情報が、文字、画像、動画、音声から選択される一または複数の情報であることを第５の特徴とする。
【００１３】
本発明に係る故人情報取得表示システムは、前記情報読取部に、文字、画像、動画、音声から選択される一または複数の簡易な故人情報が保存されており、情報端末からの操作により情報読取部に保存された前記簡易な故人情報を取得して表示部に表示可能とされていることを第６の特徴とする。  
【００１４】
本発明に係る故人情報取得表示システムは、前記Ｗｅｂサーバに格納された故人情報に、故人毎に付与される故人識別番号が付与されていることを第７の特徴とする。
【００１５】
本発明に係る故人情報取得表示システムは、前記Ｗｅｂサーバに格納された故人情報に、当該故人が属する直系親族に共通して付与される故人共通識別番号が付与されていることを第８の特徴とする。
【発明の効果】
【００１６】
以上説明したように、本発明に係る故人情報取得表示システムによると、お盆や彼岸の時期など、お墓や納骨堂等を訪れた人が、あるいは仏壇等の前で自己の携帯やスマートフォン等の情報端末にさまざまな故人情報を取得して表示させ、その場で故人や故人の思い出を自由にまた気軽に偲ぶことができるという優れた効果を奏する。
【００１７】
また、本発明に係る故人情報取得表示システムによると、生前の写真、動画や文章等を予め同システムに格納しておくことで、大切な思い出を後世に残すことできるという効果を奏する。
【図面の簡単な説明】
【００１８】
【図１】本発明の一実施形態を示すもので、本発明に係る故人情報取得表示システムの全体構成を示す図、
【図２】故人情報が格納されたＷｅｂサーバの構成を示す図、
【図３】情報読取部が表示されたプレートを示す図、
【図４】情報端末の表示部の画面における故人情報取得表示システムの初期画面を示す図、
【図５】情報端末の表示部の画面における故人情報表示システムの検索メニュー画面を示す図、
【図６】情報端末の表示部の画面における文字情報リストを示す図、
【図７】情報端末の表示部の画面における静止画リストを示す図、
【図８】情報端末の表示部の画面における動画リストを示す図、
【図９】情報端末の表示部の画面における音声リストを示す図である。
【発明を実施するための最良の形態】
【００１９】
本発明を実施するための最良の形態につき、図１ないし図９を参照して説明する。図中、符号１００は本発明に係る故人情報取得表示システム、符号２００は情報端末、符号３００はインターネット回線を示している。
【００２０】
故人情報取得表示システム１００は、故人を祀る施設を訪れた者が、自分の携帯やスマートフォン等の情報端末２００に希望する故人情報を取得し表示させることを可能とするもので、図１に示すように、Ｗｅｂサーバ１１０と、情報読取部１２０を備えている。
【００２１】
Ｗｅｂサーバ１１０は、故人に関する情報（以下、「故人情報」という。）が故人毎に格納されたサーバで、図２に示すように、入出力部１１１と、データベース部１１２と、検索メニュー部１１３と、検索処理部１１４と、制御部１１５を備えている。故人情報としては、文字情報、静止画情報、動画情報、音声情報等が含まれる。
【００２２】
データベース部１１２は、故人毎に複数の文字情報が保存可能な文字情報データベース１１２Ａと、故人毎に複数の静止画が保存可能な静止画情報データベース１１２Ｂと、故人毎に複数の動画が保存可能な動画情報データベース１１２Ｃと、故人毎に複数の音声が保存可能な音声情報データベース１１２Ｄと、その他情報データベース１１２Ｅを含んでいる。
【００２３】
文字情報データベース１１２Ａは、複数の項目、例えば、１．故人のプロフィール、２．故人の好きな言葉・詩、３．故人のエピソード、４．その他のように分類される。静止画情報データベース１１２Ｂは、複数の項目、例えば、１．故人の写真、２．家族写真、３．旅行写真、４．趣味（絵画、書道など）、５．その他のように分類される。動画情報データベース１１２Ｃは、複数の項目、例えば、１．故人の行事、２．旅行、３．スポーツ、４．趣味、５．その他のように分類される。音声情報データベース１１２Ｄは、複数の項目、例えば、１．故人の好きな曲・メロディー、２．故人の生前の声（子供、孫等の声含む）、３．その他のように分類される。
【００２４】
そして、上記各データベース１１２Ａ〜１１２Ｅに保存された故人情報は、故人毎に付与される故人識別番号を付与するようになっている。これにより、故人識別番号を検索キーとして、特定の故人に関する個人情報を検索できる。また、同故人情報は、故人−故人間に直系親族の関係があるときは、直系親族毎に付与される故人共通識別番号を付与することができる。これにより、故人共通識別番号を検索キーとして、直系親族に属する全ての故人の故人情報を検索できる。このことは直系親族に属する先祖代々の故人情報を同時に取得することにより、お盆や彼岸の時期に先祖代々を偲ぶことができることを意味する。ここで、直系親族とは、血統が直上直下で連結する親族を指し、本人およびその配偶者、父母や祖父母、子や孫など上下に直通する関係の血族、姻族が含まれる。
【００２５】
なお、上記各データベース１１２Ａ〜１１２Ｅには、入出力部１１１を介して、新規の故人情報を保存し、既存の故人情報を更新、変更、削除することができる。
【００２６】
検索メニュー部１１３は、取得を希望する故人情報を検索するためのもので、データベース部１１２の各項目に応じて複数の検索項目が設けられている。図５にメニュー検索画面の例を示す。図５の例では、検索メニュー画面に、「文字情報リスト」「静止画リスト」「動画リスト」「音声リスト」「その他」などの各検索項目が設けられている。これにより、自分の情報端末２００に故人情報を取得したい墓参者、参拝者は、検索メニュー画面から検索項目を選択し、希望する故人情報を取得することができる。
【００２７】
なお、入出力部１１１は、外部の情報端末２００との間で信号をやり取りし、検索処理部１１４は、検索メニュー部１１３における選択に従って検索処理を実行し、制御部１１５は、システム全体を統括する。
【００２８】
情報読取部１２０は、図３に示すように、プレート１２１に印刷、刻印等により表示された情報コード（一次元バーコード、二次元コード、ＵＲＬ情報、サイト名称等を含む。図示例はＱＲコード（登録商標）、ＵＲＬ情報、サイト名称の組合せ例を示す）等から構成されており、本実施形態では、図１に示すように、情報読取部１２０が設けられたプレート１２１が、故人を祀る施設であるお墓１の区画に設置された墓石２の近傍の墓碑板３に取り付けられている。
【００２９】
情報読取部１２０には、Ｗｅｂサーバ１１０のアドレス情報（ＵＲＬ）が保存されるほか、故人に関する簡易な文字情報（故人の氏名、享年、誕生日、命日など）、画像情報（故人の生前の写真など）、音声情報（故人の生前の声など）が保存容量の限度で保存可能である。
【００３０】
次に、以上の故人情報取得表示システム１００を用いて、お盆や彼岸の時期にお墓１を訪れた墓参者が、自己の情報端末２００にお墓１に祀られた故人の故人情報を取得し表示させて、故人を偲ぶ方法について説明する。
【００３１】
まず、図１の矢印に示すように、墓参者が自己の情報端末２００のカメラ部２０２を墓碑板３に取り付けられたプレート１２１の情報読取部１２０に近付けて、図３に示す情報読取部１２０を撮影する。これにより、Ｗｅｂサーバ１１０のアドレス情報（ＵＲＬ）が取り込まれるほか、故人の簡易な情報も取り込むことができる。なお、情報端末２００にカメラ部が備わってない場合は、情報端末２００にアドレス情報を直接入力するか、検索画面上でサイト名称（例えば「つなぐ」）を入力してサイトを検索することもできる。
【００３２】
次に、墓参者が自己の情報端末２００に取り込んだＷｅｂサーバ１１０のアドレス情報（ＵＲＬ）から、操作して、Ｗｅｂサーバ１１０にインターネット回線３００を介してアクセスすると、自己の情報端末２００の表示部２０１に図４に示す初期画面Ｓ１が表示される。ここで、墓参者が故人情報識別番号入力欄ＫＳとパスワード入力欄ＰＷに、登録済みの故人識別番号とパスワードを入力し送信すると、図５に示す次の検索メニュー画面Ｓ２に移行する。なお、故人情報識別番号入力欄ＫＳに登録済みの故人共通識別番号を入力すると、直系親族に属する全ての登録された故人の故人情報を検索することができる。
【００３３】
墓参者は、図５に示す検索メニュー画面Ｓ２から好みのメニューを選択できる。検索メニュー画面Ｓ２上で「文字情報リスト」を選択し送信すると、次の文字情報リスト画面Ｓ３−１（図６）に移行する。また、検索メニュー画面Ｓ２上で「静止画リスト」を選択し送信すると、次の静止画リスト画面Ｓ３−２（図７）に移行する。また、検索メニュー画面Ｓ２上で「動画リスト」を選択し送信すると、次の動画リスト画面Ｓ３−３（図８）に移行する。さらに、検索メニュー画面Ｓ２上で「音声リスト」を選択し送信すると、次の音声リスト画面Ｓ３−４（図９）に移行する。
【００３４】
墓参者は、図６に示す文字情報リスト画面Ｓ３−１に表示された複数の文字情報リスト（１．故人のプロフィール、２．故人の好きな言葉・詩、３．故人のエピソード、・・・）を選択し送信すると、Ｗｅｂサーバ１１０のデータベース部１１２に格納された文字情報データベース１１２Ａから該当する文字情報がインターネット回線３００を介して情報端末２００に送信され、情報端末２００が同文字情報を受信し、表示部２０１の画面に同文字情報を表示させることができる。
【００３５】
また、墓参者は、図７に示す静止画リスト画面Ｓ３−２に表示された複数の静止画リスト（１．故人の写真、２．家族写真、３．旅行写真、４．趣味、・・・）を選択し送信すると、Ｗｅｂサーバ１１０のデータベース部１１２に格納された静止画情報データベース１１２Ｂから該当する静止画情報がインターネット回線３００を介して情報端末２００に送信され、情報端末２００が同静止情報を受信し、表示部２０１の画面に同静止画を表示させることができる。  
【００３６】
また、墓参者は、図８に示す動画リスト画面Ｓ３−３に表示された複数の動画リスト（１．故人の行事、２．旅行、３．スポーツ、４．趣味、・・・）を選択し送信すると、Ｗｅｂサーバ１１０のデータベース部１１２に格納された動画情報データベース１１２Ｃから該当する動画情報がインターネット回線３００を介して情報端末２００に送信され、情報端末２００が同動画情報を受信し、表示部２０１の画面に同動画を表示させることができる。動画情報に音声情報が含まれているときは、同時に音声を音声出力部２０３から出力させることができる。
【００３７】
さらに、墓参者は、図９に示す音声リスト画面Ｓ３−４に表示された複数の音声リスト（１．故人の好きな曲・メロディー、２．故人の生前の声、・・・）を選択し送信すると、Ｗｅｂサーバ１１０のデータベース部１１２に格納された音声情報データベース１１２Ｄから該当する音声情報がインターネット回線３００を介して情報端末２００に送信され、情報端末２００が同音声情報を受信し、音声出力部２０３から同音声を出力させることができる。
【００３８】
このように、墓参者は、Ｗｅｂサーバ１１０のデータベース部１１２から自己の情報端末２００に好みの故人情報を取得して、表示（または出力）させることによって、その場で、自由にまた気軽に故人を偲ぶことができる。また、墓参者が複数または大勢いる場合であっても、各自の情報端末２００に各自が望む故人情報（例えばある墓参者は故人の生前の声、別の墓参者は故人の動画など）を取得して、その場で、複数でまたは大勢で故人を偲ぶことができる。  
【００３９】
以上の実施形態では、情報読取部１２０が設けられたプレート１２１が、お墓１の墓碑板３に取り付けられた例を説明したが、プレート１２１の取付場所はこれに限らない。墓石２の側面や花台４の正面に取り付けてもよい。また、以上の実施形態では、お墓１の適用例を説明したが、これに限らない。故人を祀る施設である納骨堂の一部や家庭内にある仏壇の一部にプレートを取り付けてもよい。納骨堂の場合、参拝スペース内の壁の一部や参拝壇の一部に取り付けるのが望ましい。仏壇の場合、本体の側面や扉の内面にプレートを取り付けることができる。
【００４０】
いずれの場合であっても、お墓への墓参者と同様に、納骨堂への参拝者、仏壇にお参りする者が、本システム１００を利用して、Ｗｅｂサーバ１１０のデータベース部１１２から自己の情報端末に好みの故人情報を取得して、表示（または出力）させることによって、その場で気軽に故人を偲ぶことができる。
【００４１】
なお、故人を祀る施設は、お墓、納骨堂、仏壇に限らない。情報端末は、携帯電話やスマートフォンに限らず、タブレット等であってもよい。情報読取部は、プレートへの表示に限らず、例えば墓石や仏壇等に直接印字、印刷、シールの形で貼付してもよい。
【００４２】
また、本発明に係る故人情報取得表示システムは、犬、猫等のペットを対象とするお墓、納骨堂、仏壇等にも適用可能であり、亡くなったペットに関する情報をデータベース化することによって、これらの施設に設けられた情報読取部から亡くなったペットに関する情報が格納されたＷｅｂサーバのアドレス情報を自己の情報端末に読み取り、亡くなったペットに関する情報を取得表示させて、亡くなったペットをその場で偲ぶことができる。
【００４３】
故人共通識別番号は、故人が属する直系親族に共通する識別番号が付与されるが、応用例として、傍系親族にも共通する識別番号を付与するようにしてよい。さらに、婚姻関係にはないが、故人どうしが事実上の婚姻関係にある場合や長年の共同生活者等である場合にも共通する識別番号を付与するようにしてもよい。
【００４４】
かくして、本発明に係る故人情報取得表示システムによれば、お墓や納骨堂等の施設を訪れた人が、自己の携帯やスマートフォン等に故人情報を取得し表示させることで、その場で自由にまた気軽に、故人を先祖代々にわたり、偲ぶことができるようになる。
【産業上の利用可能性】
【００４５】
本発明に係る故人情報取得表示システムは、お墓や納骨堂等への墓参者、参拝者が故人を偲べるシステムとして利用できる。また故人だけではなく、亡くなったペットを偲べるシステムとしても利用可能である。
【符号の説明】
【００４６】
１  お墓
２  墓石
３  墓碑板
１００  故人情報取得表示システム
１１０  Ｗｅｂサーバ
１１１  入出力部
１１２  データベース部
１１２Ａ  文字情報データベース
１１２Ｂ  静止画情報データベース
１１２Ｃ  動画情報データベース
１１２Ｄ  音声情報データベース
１１２Ｅ  その他情報データベース
１１３  検索メニュー部
１１４  検索処理部
１１５  制御部
１２０  情報読取部
１２１  プレート
２００  情報端末
２０１  表示部
２０２  カメラ部
２０３  音声出力部
３００  インターネット回線
【図１】
2015165856.tif 000003
【図２】
2015165856.tif 000004
【図３】
2015165856.tif 000005
【図４】
2015165856.tif 000006
【図５】
2015165856.tif 000007
【図６】
2015165856.tif 000008
【図７】
2015165856.tif 000009
【図８】
2015165856.tif 000010
【図９】
2015165856.tif 000011